(57)【要約】【課題】擬石コンクリートの護岸での施工を簡単し、さらに、マットから擬石ブロックが脱離しなようにし、かつ、製造作業が簡単で安価である擬石コンクリート製ブロック付きマットの製造方法、および、その製法によるマット提供する。【解決手段】表面に疑石を配したコンクリート型枠であって、該型枠は施工時の配列になるように複数の型枠が一括して配列され、コンクリートを流し込んだ際には擬石の底面が型枠の上部の表面に露出し、露出した擬石の底面に大粒の石を混入したセメントおよび水性接着剤を練った接着剤を塗布し、その上に透水性の不織布マットを敷いて擬石をマットに固着させ、固着後に型枠から擬石をマットごと脱形する擬石コンクリート製ブロック付きマットの製造方法、および、その製造方向によるマット。【選択図】図９
2004255765.tif 000002
【特許請求の範囲】
【請求項１】
表面に疑石を配したコンクリート型枠であって、該型枠は施工時の配列になるように複数の型枠が一括して一体として配列され、コンクリートを流し込んだ際には擬石ブロックの底面が型枠の上部の表面に露出し、露出した擬石ブロックの底面に大粒の石を混入したセメントおよび水性接着剤を練った接着剤を塗布し、その上に透水性の不織布マットを敷いて擬石ブロックをマットに固着させ、固着後に型枠から擬石ブロックをマットごと脱形することを特徴とする擬石コンクリート製ブロック付きマットの製造方法。
【請求項２】
表面に疑石を配したコンクリート型枠であって、該型枠は施工時の配列になるように複数の型枠が一括して一体として配列され、コンクリートを流し込んだ際には擬石ブロックの底面が型枠の上部の表面に露出し、露出した擬石ブロックの底面に直径４ｃｍ乃至５ｃｍの大粒の石を混入したセメントおよび水性接着剤を練った接着剤を連続した帯状に塗布し、その上にブロック側にはポリプロピレン繊維を配し表面側にはポリエステル繊維を配した透水性の不織布マットを敷いて擬石ブロックをマットに固着させ、固着後に型枠から擬石ブロックをマットごと脱形することを特徴とする擬石コンクリート製ブロック付きマットの製造方法。
【請求項３】
表面に疑石を配したコンクリート型枠において、該型枠は施工時の配列になるように複数の型枠が一括して配列され、コンクリートを流し込んだ際には擬石の底面が型枠の上部の表面に露出し、露出した擬石の底面に直径４ｃｍ乃至５ｃｍの大粒の石を混入したセメントおよび水性接着剤を練った接着剤を連続した帯状に塗布し、その上にブロック側にはポリプロピレン繊維を配し表面側にはポリエステル繊維を配した透水性の不織布マットを敷いて擬石ブロックをマットに固着させ、固着後に型枠から擬石ブロックをマットごと脱形したことを特徴とする擬石コンクリート製ブロック付きマット。
【発明の詳細な説明】
【０００１】
【発明の属する技術分野】
本発明は、護岸等の自然環境の回復改修施工に使用する擬石を配したコンクリート製ブロック付きマット、および、その製造方法の技術分野に属する。
【０００２】
【従来の技術】
近時、自然環境の保存を重視する傾向にあり、護岸等に用いる擬石を配置したコンクリート製ブロックが多用される傾向にある。
そこで、本出願人においては、施工面における天然石模様の擬石の配置状況が不規則に観取され且つ目地線も直線的でなく不規則線を呈し施工面を流れる雨水などによって目地の土砂が流失しないように構成され草や小灌木が育生し自然破壊が最小限にとどまるように工夫したコンクリート製ブロックを提供している（特許文献１）。
また、複数のコンクリートブロックをアンカーピンやビスなどの連結具を用いてマットに固着して、施工時にそのまま護岸等に敷き詰めて施工するマットや、コンクリートブロックの施工方法（特許文献２）が提案されている。
更に、複数のコンクリートブロックの底面にエポキシ樹脂接着剤を塗りマットに固着して、護岸等に施工する施工方法（特許文献３）が提案されている。
また、コンクリートブロックの成型時に、コンクリートが未硬化状態にある内にシートを押し当ててシートに固着する方法（特許文献４）が提案されている。
【０００３】
【特許文献１】
特許第２５５７７８８号公報
【特許文献２】
特開平３−３７６６号公報
【特許文献３】
実公昭５１−９１３５号公報
【特許文献４】
特開昭５４−９３０１８号公報
【０００４】
【発明が解決しようとする課題】
しかしながら、特許文献１に開示されているような擬石ブロックは、施工においては、施工現場で擬石ブロックを一個ずつ並べて固定しており、作業効率が悪く、多くの時間も費やさなければならいという不都合があった。
また、特許文献２に開示されているように、複数のコンクリートブロックをシートに固定して、このコンクリートブロックを付けたシートを施工現場に敷き詰める方法も知られているが、図１０に示すように、コンクリートブロックａをシートｂ固着する際に、コンクリートブロックａ毎に作業員が、アンカーピン（ステープル）やビス（スクリュー）連結具ｃをシートｂ面から突き刺してシート固定するが、一個毎に手仕事で行わなければならず、多少の作業効率が上がるものの、依然として作業効率が悪く、多くの時間も費やさなければならいとい不都合があるという問題点があった。
さらに、特許文献３に開示されている技術は、図１１に示すようにコンクリートブロックａを一個一個作成し、そのコンクリートブロックａの底部に接着剤ｄを塗りマットに固定するが、コンクリートブロックａの底部ごとに接着剤ｄを塗布しなければならず手間暇が必要であり、通常、コンクリートブロックａは重量があることから、接着剤ｄはエポキシ樹脂接着剤が用いられるが、費用が高くつくとともに、環境に悪影響を及ぼすことが知られており、硬化を促進するためには、蒸気養生をすることができず、ヒーターによる加熱では部分的しか暖めることはできず、全体を平均に暖めることは不可能に近く、硬化する時間を短くすることは経費もかかり困難であるとい問題点があった。
また、特許文献４に開示されている技術は、コンクリートブロックの成型時において、コンクリートが未硬化状態にある内にシートを張り蒸気で硬化させるもので、装置や時間的誓約があるとともに、セメントミルクを硬化させただけなので強度も大きくなく、ブロックが脱離しやすいという問題点があった。
【０００５】
なりよりも、特許文献２〜４に開示されものは、はっきりした直線や円の組み合わせのブロックで、護岸の使用には不自然で景観の妨げになり、勾配のある護岸の使用には施工後の隣り合う接合線が直線となるので、客土が下方に流失しやすく、また、接合線が１ｃｍでもずれると境目が目立ってしまうという不都合があった。
本発明は、上記の問題点に鑑みてなされたもので、その課題は、１マットに対応する複数の擬石コンクリートブロックを一度に一括して作成し、擬石コンクリートの護岸での施工を簡単し、さらに、マットから擬石ブロックが脱離しなようにし、かつ、製造作業が簡単で安価である擬石コンクリート製ブロック付きマットの製造方法、および、その製法によるマット提供することにある。
【０００６】
【課題を解決するための手段】
上記の課題を解決するために、請求項１の発明は、表面に疑石を配したコンクリート型枠であって、該型枠は施工時の配列になるように複数の型枠が一括して一体として配列され、コンクリートを流し込んだ際には擬石ブロックの底面が型枠の上部の表面に露出し、露出した擬石ブロックの底面に大粒の石を混入したセメントおよび水性接着剤を練った接着剤を塗布し、その上に透水性の不織布マットを敷いて擬石ブロックをマットに固着させ、固着後に型枠から擬石ブロックをマットごと脱形することを特徴とする擬石コンクリート製ブロック付きマットの製造方法である。
上記の課題を解決するために、請求項２の発明は、表面に疑石を配したコンクリート型枠であって、該型枠は施工時の配列になるように複数の型枠が一括して一体として配列され、コンクリートを流し込んだ際には擬石ブロックの底面が型枠の上部の表面に露出し、露出した擬石ブロックの底面に直径４ｃｍ乃至５ｃｍの大粒の石を混入したセメントおよび水性接着剤を練った接着剤を連続した帯状に塗布し、その上にブロック側にはポリプロピレン繊維を配し表面側にはポリエステル繊維を配した透水性の不織布マットを敷いて擬石ブロックをマットに固着させ、固着後に型枠から擬石ブロックをマットごと脱形することを特徴とする擬石コンクリート製ブロック付きマットの製造方法である。
上記の課題を解決するために、請求項３の発明は、表面に疑石を配したコンクリート型枠において、該型枠は施工時の配列になるように複数の型枠が一括して配列され、コンクリートを流し込んだ際には擬石の底面が型枠の上部の表面に露出し、露出した擬石の底面に直径４ｃｍ乃至５ｃｍの大粒の石を混入したセメントおよび水性接着剤を練った接着剤を連続した帯状に塗布し、その上にブロック側にはポリプロピレン繊維を配し表面側にはポリエステル繊維を配した透水性の不織布マットを敷いて擬石ブロックをマットに固着させ、固着後に型枠から擬石ブロックをマットごと脱形したことを特徴とする擬石コンクリート製ブロック付きマットである。
【０００７】
【発明の実施の形態】
ここで、本発明に好適な擬石コンクリート製ブロック付きマット、および、その製造方法の１実施例を、図面に沿って説明する。
本実施例に使用する擬石コンクリート製ブロック１（以下、単に「擬石ブロック」という。）は、図１の斜視図、図２の平面図、図３の側面図に示すようなもので、一ブロックは横Ｘ３０ｃｍ，縦Ｙ３０ｃｍ，高さＺ１０ｃｍ程度の大きさで、基板１１上に大きな擬石１２が４個と小さな擬石１３が２個とが配置され、擬石表面は自然石に模した凹凸が色彩を有しており、底面１４はほぼ平らである。
すなわち、本実施例の複数配列の擬石コンクリート製ブロック自体は、周囲や上面に複雑な凸凹を有し、ブロックの擬石の外周や接合線に直線部分が一切なく、表面は擬石模様なのである。したがって、上面が平らで自然石模様であるので、スリップ止めになり作業員や完成後の人が水辺を歩くにも適した形状のものを使用した。
【０００８】
本実施例の擬石コンクリート製ブロック付きマット２は、コンクリート製のブロックに接する上面がセメントなどのアルカリの化学反応に強いポリプロピレン繊維を配し、下面は強度あるポリエステル繊維を配した複合素材の不織布で、さらに下面にはポリエステルのフィラメントを補強の為に混入したもので、全体の厚さは厚さ３ｍｍ以上であり、本実施例の１マット当たりの擬石コンクリート製ブロックの全体は１．３トンであることから、後述するように、マットを吊り上げた時にこれに耐える強度を有しなければなず、縦方向の引張強度は２．９４Ｋｇｆ／５ｃｍであり、引張伸度は１５％以下であり、透水性は１×１０−２ｃｍ／ｓｅｃの物性値のものを使用した。
なお、下面はポリエステル繊維が配されるが、この面は製造過程において表面側になり、マット製品として、施工の護岸においては裏面側となって護岸に接する面となる。
このマット２には、図４に示すように、本実施例では、前記の擬石コンクリート製ブロック１を縦に２０〜３０行、横に６列に後述する接着材で固定し、縁部の上側端部分（Ａ）、下側端部分（Ｂ）、左側端部分（Ｃ）にはブロック１が存在しないマットだけのマット把持部Ａ，Ｂ，Ｃを設け、右側端部分（Ｄ）には擬石コンクリート製ブロックがマットから若干はみ出る程度にまで存在させる（図９を参照）マット接合部Ｄが設けられている。
そして、施工においては、図５に示すように、護岸などの施工においては、ブロックが付いたマット２ごと運搬し、先ず、現場でクレーンなどでマット２のブロックのない両把持部Ａ，Ｂを把持し、施工現場である護岸に直接マットを敷き、マット両把持部Ａ，Ｂを堤側Ｅと河川側Ｆとに固定する。更に次のマットを敷き詰める場合は、既に施工されているマット２だけの左側端部分の把持部Ｃの上に、把持部がない接合部分Ｄの擬石ブロック１を、施工されている擬石ブロック１に密接して敷き詰める。
その後は、同様に直接敷き詰めるだけ放置すればよく、二つのマット２の接合部分は擬石ブロックに隠れて外からは見えず、護岸全体が均一に擬石ブロック１を敷き詰めた外観を呈し、しかも、不織布のマット２は上に植物の根が入り込むことが可能な隙間を有する目付    程度であるから、水が通過することは勿論こと植物の根も入り込み、擬石の間には客土が堆積することと相俟って植物も生育し、全体として自然環境にマッチした護岸が形成される。
勿論、マット２の大きさや把持部の形や大きさは、施工現場の状況に合わせて適宜変更すればよい。
このように、従来の単純な形状のブロックを使用した場合と異なり、本実施例のマットを使用したことにより、自然に溶け込み周囲の景観に調和し、溝となる接合線などに直線がないことから、客土の流失が阻止でき、隣り合うマットがずれても（１．５ｃｍ程度）目立つことがない。
【０００９】
次に、本実施例の擬石コンクリート製ブロック付きマットの製造方法を図６乃至図９に沿って説明し、併せて、マット自体の構成をより詳細に説明する。
前述した擬石ブロックについての型枠３は、図６の型枠平面図に示すように、前述した擬石コンクリート製ブロック付きマット２に搭載される複数の擬石ブロック１の数だけ、一括して設けた一つの大きな型枠３である。
この長方形の型枠３は、周りの外枠３１はＦＲＰ樹脂で、内側の擬石を形成する擬石型枠３２はポリウレタン樹脂で構成され、外枠の底面部分３３（図７側面図）には鉄筋や鉄板が埋め込まれて型枠全体を補強している。
したがって、型枠３にセメントを打設すれば、１マットに対応する複数の擬石コンクリートブロックを一度に一括して作成できる。
図７に示すように、この型枠３の各擬石型枠３２にコンクリートを打設するが、型どられた擬石ブロック１の底部１４の表面が上向き露出しており、コンクリートが固まった時点で接着材料４をモルタルガン５で底部１４に塗布する。
【００１０】
本実施例で使用する接着材料４は、強度や環境対策から次の組成が有効であった。
１．砂                                          ２０〜２７重量％
２．大粒の石（直径４〜５ｃｍ）                      １５〜２２重量％
３．セメント                                    ３５〜４７重量％
４．アクリル水性接着剤（エポキシ以外の接着剤）        ２〜６重量％
５．塩化カルシューム（セメント硬化促進剤）            ２〜６重量％
６．水                                                      適量
【００１１】
上記の組成において、（１）直径２〜５ｃｍ程度、好ましくは、直径４〜５ｃｍ程度の大粒の石を混入させることで、大粒の石はマット２の中に潜り、マット２と擬石ブロック１とに楔のように作用し、砂とセメントと接着剤のときよりも格段と接着性能が向上した。これは、砂とセメントと接着剤では、表面だけを強化しているので、引張った時に本体をむしり取って剥離するものと考えられ、表面の剥離が防げるものと考えられ、石の直径が２ｃｍ以下だと接合強度の向上に余り効果がなく、好ましくは４ｃｍ以上がより効果的であり、逆に、５ｃｍ以上だと接着層の厚さが大きくなりすぎ全体が重くなるばかりか、接着材料も多量に必要になるので不経済であり、５ｃｍ以下がよい。また、（２）従来使用していたエポキシ接着剤は環境に悪影響があるので、アクリル水性接着剤を使用したが、これにより蒸気を噴霧してセメントの硬化を早める蒸気養生が可能となり、特に、寒冷地での作業の効率向上の寄与するものである。更に、（３）セメント硬化促進剤（塩化カルシューム）を混入したことで、早期に接着が完了し、製品の脱型時期を早めることができる。
【００１２】
接着材料４をモルタルガン５で型枠３（接着材料４は型枠１からは脱離可能である。）と擬石ブロック１の底部１４に一括して塗布するが、塗布方法はマットとの関係から、図９に示すように、接着材料４は後述する理由により擬石ブロック１の幅Ｘよりも細い幅ｘ１で横方向（図面左右方向）に連続した帯状（筋状）Ｇに塗布する。
連続した帯状に塗布することは、作業が簡単となり、作業効率が飛躍的に向上するが、細い複数の筋状で全体として帯状に塗布してもも良く、要は、作業が簡単で、水が移動し植物が生育するための接着材料４が存在しない部分を作ることが大切である。したがって、作業が簡単であれば網目状に塗布してもよい。
【００１３】
次に、擬石ブロック１をマット２に固着する作業を行うが、図８に示すように、厚さ３〜６ｍｍ程度の不織布のマット２を、型枠３の上面に押し当てながら敷き詰める。その結果、図９に示したように、擬石ブロック１とマット２とは接着材料１４が塗布されている範囲の帯状（筋状）Ｇで互いに接着し固定されることになり、接着剤の硬化を早めるために熱い蒸気を噴霧する蒸気養生を行い、硬化終了した時点で、擬石ブロック１とマット２が一体になった擬石コンクリート製ブロック付きマットを型枠３から脱型する。
ここで、接着材料４を擬石ブロック１の幅Ｘよりも細い幅ｘ１（図９）で帯状Ｇに塗布するのは、隣り合う擬石ブロック１の間に接着材料４が存在しないようにして、不織布の目を覆わないようにするためであり、このことにより、その部分で水の移動が可能となり、客土も堆積し植物の根も入り込むことが可能となって、植物が生育するようになる。
【００１４】
なによりも、本実施例の擬石コンクリート製ブロック付きマットは、従来のコンクリート製ブロック付きマットと比べて、複雑な擬石ブロックを使用しているため、ブロックの擬石の外周や接合線に直線部分が一切なく、表面は擬石模様なので、自然に溶け込み周囲の景観に調和し、溝となる接合線などに直線がないことから、客土の流失が阻止でき、隣り合うマットがずれても（１．５ｃｍ程度）目立つことがなく、上面が平らで自然石模様であるので、スリップ止めになり作業員や完成後の人が水辺を歩くにも適し、かつ、安価に製造できる。
なお、本発明の特徴を損なうものでなければ、前述した実施例に限定しないことは勿論であり、接着材料の塗布状態も縦に帯状でなくても、斜めの帯状でもよく、また、接着剤は蒸気養生できるものであれば、アクリル水性接着剤以外の、例えば、ビニール系水性接着剤のものでもよい。
【００１５】
【発明の効果】
以上説明したように、本発明によれば、擬石コンクリートの護岸での施工を簡単できる擬石ブロック付きのマットであって、擬石ブロックを使用することにより、従来の単純な形状のブロックを使用した場合と異なり、自然に溶け込み周囲の景観に調和し、溝となる接合線などに直線がないことから、客土の流失が阻止でき、隣り合うマットがずれても目立つことがないという効果を有し、また、型枠にセメントを打設すれば１マットに対応する複数の擬石コンクリート製ブロックを一度に一括して作成でき、また、大粒の石を混入したセメントおよび水性接着剤を練った接着剤を用いたので、マットと擬石ブロックの結合が強固となり、蒸気養生も可能となることから作業時間を短くすることができ、透水性の不織布マットととしたことで水の出入りが可能となり護岸の緑化を促進でき、さらに、接着剤を連続した帯状に塗布することで、作業が簡単になり接着剤の存在しない部分には植物の生育が助長されという幾多の効果を奏するものである。
【図面の簡単な説明】
【図１】本発明の実施例の擬石コンクリートブロックの一個の斜視図である。
【図２】図１の擬石コンクリートブロックの平面図である。
【図３】図１の擬石コンクリートブロックの側面図である。
【図４】図４（ａ）は、図１の擬石コンクリートブロックの複数を固着した擬石コンクリート製ブロック付きマットの正面図であり、図４（ｂ）はその側面図である。
【図５】図４の擬石コンクリート製ブロック付きマットの複数枚を護岸に施工した状態の説明図である。
【図６】本発明の実施例の擬石コンクリート製ブロック付きマットにおける、擬石型枠の平面図である。
【図７】図６の側面図であり、実施例のマットの製造工程を説明する説明図である。
【図８】実施例のマットの製造工程を説明する説明図である。
【図９】本実施例のマットと擬石ブロックの接合状態を示す透視説明図である。
【図１０】従来のマットと擬石ブロックの接合状態を示す透視説明図である。
【図１１】別の従来のマットと擬石ブロックの接合状態を示す透視説明図である。
【符号の説明】
Ａ，Ｂ，Ｃ…把持部、Ｄ…接合部分、Ｅ…堤、Ｆ…河川、
Ｇ…筋部（接着剤塗布部分）、Ｈ…擬石隙間部
１…コンクリート製擬石ブロック、１１…基板、１２，１３…擬石
２…マット
３…型枠、３１…外枠、３２…擬石型枠、３３…外枠の底面部分、
４…接着材料、５…モルタルガン
【図１】
2004255765.tif 000003
【図２】
2004255765.tif 000004
【図３】
2004255765.tif 000005
【図４】
2004255765.tif 000006
【図５】
2004255765.tif 000007
【図６】
2004255765.tif 000008
【図７】
2004255765.tif 000009
【図８】
2004255765.tif 000010
【図９】
2004255765.tif 000011
【図１０】
2004255765.tif 000012
【図１１】
2004255765.tif 000013